(57)【要約】【課題】使用者にとって操作性に優れた設定装置、設定装置を備えた電子機器、及び設定装置を備えたデジタルカメラを提供する。【解決手段】複数の設定から設定を選択する回転操作部と、回転操作部の内側に複数の設定を表示する表示部と、回転操作部の回転を検出する検出部と、検出部で検出した回転に応じて、表示部の表示を制御する表示制御部とを備える。【選択図】図３
2008165118.tif 000002
【特許請求の範囲】
【請求項１】
複数の設定から設定を選択する回転操作部と、
前記回転操作部の内側に複数の設定を表示する表示部と、
前記回転操作部の回転を検出する検出部と、
前記検出部で検出した回転に応じて、前記表示部の表示を制御する表示制御部とを備えること
を特徴とする設定装置。
【請求項２】
請求項１に記載の設定装置において、
前記検出部は、前記回転操作部の回転量、回転方向のうち少なくとも１つを検出すること
を特徴とする設定装置。
【請求項３】
請求項２に記載の設定装置において、
前記表示制御部は、前記回転操作部の回転に応じて前記設定の表示を変化させること
を特徴とする設定装置。
【請求項４】
請求項３に記載の設定装置において、
前記表示制御部は、前記設定を円周状に表示し、前記回転操作部の回転に応じて前記設定の表示を前記円周上で移動させること
を特徴とする設定装置。
【請求項５】
請求項３または請求項４に記載の設定装置において、
前記表示制御部は、前記回転操作部により選択された前記設定の大きさを変化させること
を特徴とする設定装置。
【請求項６】
請求項１から請求項５のいずれか一項に記載の設定装置において、
前記表示制御部は、前記回転操作部で設定を選択すると前記選択した設定に関連した設定を表示すること
を特徴とする設定装置。
【請求項７】
請求項１から請求項６のいずれか一項に記載の設定装置において、
選択された設定を記憶する記憶部を有し、
前記表示制御部は、電源を切断した後に電源を再度投入したときに、電源切断時に選択されていた設定を選択されている設定として前記表示部に表示させること
を特徴とする設定装置。
【請求項８】
請求項１から請求項７のいずれか一項に記載の設定装置において、
前記設定は、絵文字として表示されること
を特徴とする設定装置。
【請求項９】
請求項１から請求項８のいずれか一項に記載の設定装置を備えること
を特徴とする電子機器。
【請求項１０】
請求項１から請求項８のいずれか一項に記載の設定装置を備えること
を特徴とするデジタルカメラ。
【請求項１１】
請求項１０に記載のデジタルカメラにおいて、
前記表示部は、前記設定として縮小撮影画像を表示し、
選択された縮小撮影画像の撮影条件を前記デジタルカメラの撮影条件として設定すること
を特徴とするデジタルカメラ。
【請求項１２】
請求項１１に記載のデジタルカメラにおいて、
前記縮小撮影画像は、撮影画像を選択することが可能であること
を特徴とするデジタルカメラ。
【発明の詳細な説明】
【技術分野】
【０００１】
本発明は、設定装置、設定装置を備えた電子機器、及び設定装置を備えたデジタルカメラに関する。
【背景技術】
【０００２】
デジタルカメラをはじめとする電子機器において、動作モードを選択する操作手段として、ダイヤルに表示された絵文字を電子機器本体に設けられた指標位置に合わせるものが知られている。しかし、ダイヤルに表示された絵文字と指標を合致させる操作手段では、ダイヤルに表示された絵文字に相当するモードしか選択することができず、その他のモードを選択することができない。そのため、指標に合致した絵文字に相当するモードに対応した各種情報を表示するための表示部を備えたカメラが提案されている（特許文献１）。
【特許文献１】特開２００４−８５６７０号公報
【発明の開示】
【発明が解決しようとする課題】
【０００３】
しかし、使用者はカメラの別の部分に設けられた表示部を見ながらダイヤルを操作しなければならず、操作が煩わしいという問題があった。
本発明の目的は、使用者にとって操作性に優れた設定装置、設定装置を備えた電子機器、及び設定装置を備えたデジタルカメラを提供することである。
【課題を解決するための手段】
【０００４】
請求項１に記載の設定装置は、複数の設定から設定を選択する回転操作部と、前記回転操作部の内側に複数の設定を表示する表示部と、前記回転操作部の回転を検出する検出部と、前記検出部で検出した回転に応じて、前記表示部の表示を制御する表示制御部とを備えることを特徴とする。
請求項２に記載の設定装置は、請求項１に記載の設定装置において、前記検出部は、前記回転操作部の回転量、回転方向のうち少なくとも１つを検出することを特徴とする。
請求項３に記載の設定装置は、請求項２に記載の設定装置において、前記表示制御部は、前記回転操作部の回転に応じて前記設定の表示を変化させることを特徴とする。
請求項４に記載の設定装置は、請求項３に記載の設定装置において、前記表示制御部は、前記設定を円周状に表示し、前記回転操作部の回転に応じて前記設定の表示を前記円周上で移動させることを特徴とする。
請求項５に記載の設定装置は、請求項３または請求項４に記載の設定装置において、前記表示制御部は、前記回転操作部により選択された前記設定の大きさを変化させることを特徴とする。
請求項６に記載の設定装置は、請求項１から請求項５のいずれか一項に記載の設定装置において、前記表示制御部は、前記回転操作部で設定を選択すると前記選択した設定に関連した設定を表示することを特徴とする。
請求項７に記載の設定装置は、請求項１から請求項６のいずれか一項に記載の設定装置において、選択された設定を記憶する記憶部を有し、前記表示制御部は、電源を切断した後に電源を再度投入したときに、電源切断時に選択されていた設定を選択されている設定として前記表示部に表示させることを特徴とする。
請求項８に記載の設定装置は、請求項１から請求項７のいずれか一項に記載の設定装置において、前記設定は、絵文字として表示されることを特徴とする。
請求項９に記載の電子機器は、請求項１から請求項８のいずれか一項に記載の設定装置を備えることを特徴とする。
請求項１０に記載のデジタルカメラは、請求項１から請求項８のいずれか一項に記載の設定装置を備えることを特徴とする。
請求項１１に記載のデジタルカメラは、請求項１０に記載のデジタルカメラにおいて、前記表示部は、前記設定として縮小撮影画像を表示し、選択された縮小撮影画像の撮影条件を前記デジタルカメラの撮影条件として設定することを特徴とする。
【０００５】
請求項１２に記載のデジタルカメラは、請求項１１に記載のデジタルカメラにおいて、前記縮小撮影画像は、撮影画像を選択することが可能であることを特徴とする。
【発明の効果】
【０００６】
本発明によれば、設定ダイヤルと同じ場所に設けられた表示部を見ながら設定ダイヤルを操作することができるので、使用者にとって操作性に優れた設定装置、設定装置を備えた電子機器、及び設定装置を備えたデジタルカメラを提供することができる。
【発明を実施するための最良の形態】
【０００７】
（第１実施形態）
本発明の第１実施形態として電子機器、ここでは電子機器としてデジタルカメラを例に説明する。
図１は、本実施形態におけるデジタルカメラ１００の外観を示した図である。図１（ａ）はデジタルカメラ１００のレンズ鏡筒を備える面（前面）を斜め上面から見た図を示し、図１（ｂ）はデジタルカメラ１００のモニタを備える面（背面）を正面から見た図を示している。
【０００８】
図１（ａ）に示すように、デジタルカメラ１００は上面にシャッターボタン１０１を、前面にレンズ１０３を備えたレンズ鏡筒１０２、ファインダー窓１０４ａ、及び内蔵フラッシュ１０５を、側面にメモリカードスロット１０６をそれぞれ備えている。
シャッターボタン１０１は、使用者が画像の撮影を指示する場合に押下するボタンである。
【０００９】
レンズ鏡筒１０２は、後述する電源スイッチ１０７を使用者が投入（ＯＮ）状態にすると、デジタルカメラ１００内に収納された沈胴状態から、撮影が可能な繰出状態まで駆動される。また電源スイッチ１０７を使用者が切断（ＯＦＦ）状態にすると、レンズ鏡筒１０２は繰出状態から沈胴状態へと駆動される。レンズ１０３は、レンズ鏡筒１０２の内部で複数のレンズから構成されている。レンズ１０３は、レンズ鏡筒１０２が繰出状態であるときに被写体からの光をデジタルカメラ１００内部に配置された後述する撮像素子１２０に結像する。
【００１０】
内蔵フラッシュ１０５は、発光が許可されている状態で撮影補助光を発して被写体を照射するものである。
メモリカードスロット１０６は、デジタルカメラ１００に対して着脱可能なメモリカードを装着するためのものである。
【００１１】
図１（ｂ）に示すように、デジタルカメラ１００は背面にファインダー１０４ｂ、電源スイッチ１０７、モニタ１０８、望遠ズームボタン１０９、広角ズームボタン１１０、再生ボタン１１１、メニューボタン１１２、十字操作ボタン１１３、決定ボタン１１４、設定ダイヤル１１５、設定ダイヤル指標１１６、設定ボタン１１７を備えている。
ファインダー１０４ｂは、使用者が撮影画像の構図を視認するためのものである。
【００１２】
電源スイッチ１０７は、使用者が押下してデジタルカメラ１００の電源を投入（ＯＮ）状態または切断（ＯＦＦ）状態にするためのスイッチである。
【００１３】
モニタ１０８は、画像撮影時には、後述する撮像素子１２０で撮像された画像をスルー画として表示し、使用者はそのスルー画を見て撮影画像の構図を決定することができる。また画像再生時には、後述するメモリカード１２９やデジタルカメラ１００の内蔵メモリに記録された画像を表示したり、後述するメニューボタン１１２の入力を受けて再生画像に対する削除、保護などのメニューを表示したりする。
望遠ズームボタン１０９、広角ズームボタン１１０は、画像撮影時に撮影画像を光学的または電気的にズームして被写体の大きさを変えるためのボタンである。使用者は、被写体を大きく撮影するには望遠ズームボタン１０９を押すことにより望遠側にズームし、広い範囲を撮影するには広角ズームボタン１１０を押して広角側にズームする。
【００１４】
再生ボタン１１１は、撮影モードと再生モードを変更するためのボタンである。撮影モードで使用者が再生ボタン１１１を押すと再生モードに、再生モードで再生ボタン１１１を押すと撮影モードにデジタルカメラ１００の使用モードが切り替わる。またデジタルカメラ１００の電源がＯＦＦの状態で再生ボタン１１１を１秒以上押し続けると、再生モードでデジタルカメラの電源がＯＮになる。
【００１５】
メニューボタン１１２は、使用者が選択している使用モードに応じたメニューをモニタ１０８に表示させるためのボタンである。撮影モードでメニューボタンを押すとホワイトバランス、ＩＳＯ感度設定などの撮影モードメニュー、再生モードでメニューボタンを押すと削除、保護などの再生モードメニューが表示される。
【００１６】
十字操作ボタン１１３は、使用者が上下左右のいずれかを押圧することにより、押圧方向に対応した内容を指示するためのボタンである。例えば、モニタ１０８に表示されているカーソルを上下左右に移動させる、再生画像のコマ送りおよびコマ戻しなどがある。
【００１７】
決定ボタン１１４は、十字操作ボタン１１３の中心に配置され、使用者が十字操作ボタン１１３により選択した操作などを決定、実行するためのボタンである。
【００１８】
設定ダイヤル１１５は、回転式の操作部であり、オート撮影モード、動画モード、セットアップモードなどのモードを変更したり、それぞれのモードにおける設定を変更したりすることができる。なお、設定ダイヤル１１５はデジタルカメラ１００の背面に配置されているが、例えばデジタルカメラ１００の上面または側面に配置しても構わない。設定ダイヤル１１５の詳細については後述する。
【００１９】
設定ダイヤル指標１１６は、使用者が設定ダイヤル１１５を操作することにより選択した項目を指し示すための指標である。
【００２０】
設定ボタン１１７は、使用者が設定ダイヤル１１５を操作することにより選択した項目を決定するためのボタンである。
【００２１】
図２は、デジタルカメラ１００の電気的構成を示すブロック図である。なお、図２において、図１と同じ構成要素には同じ番号を付し、説明を省略する。デジタルカメラ１００は、レンズ駆動部１１８、制御部１１９、撮像素子１２０、相関二重サンプリング回路（ＣＤＳ）１２１、自動ゲインコントロール回路（ＡＧＣ）１２２、アナログデジタル変換器（ＡＤＣ）１２３、メモリ１２４、バス１２５、信号処理部１２６、圧縮伸張部１２７、カードインターフェース１２８、メモリカード１２９、ドライバ１３０、デジタルアナログ変換器（ＤＡＣ）１３１、そして操作部１３２を備えている。
【００２２】
レンズ１０３は、レンズ駆動部１１８により駆動され、レンズ駆動部１１８は制御部１１９からの指令に基づいて制御される。不図示の被写体からの光は、レンズ１０３によって撮像素子１２０上に結像される。
撮像素子１２０は、例えばＣＣＤやＣＭＯＳなどの固体撮像素子であり、光電変換により被写体像を電気信号に変換した撮像信号をＣＤＳ１２１に出力する。ＣＤＳ１２１に入力されたアナログ信号である撮像信号は、ＣＤＳ１２１、ＡＧＣ１２２を経て、ＡＤＣ１２３に入力される。そして、撮像信号はＡＤＣ１２３でアナログ信号からデジタル信号へ変換されて、メモリ１２４に格納される。メモリ１２４は、撮像信号が一時的に格納されるバッファメモリや撮影済みの画像データを記録する内蔵メモリなどを備えている。メモリ１２４に格納された画像データは、バス１２５を介して信号処理部１２６に送られる。信号処理部１２６は、例えばデジタル信号プロセッサ（ＤＳＰ）であり、画像データに対してホワイトバランス処理、補間処理、ガンマ補正、色変換処理などの周知の画像処理を施した後、メモリ１２４に再び格納する。また画像処理された画像データは、圧縮伸張部１２７によりＪＰＥＧなど周知の圧縮処理が施され、カードインターフェース１２８を介してデジタルカメラ１００に対して着脱自在なメモリカード１２９に記録される。なお画像データの記録先は、メモリカード１２９でもよいし、メモリ１２４内に備えた内蔵メモリでもよい。ただし、メモリ１２４内に備えた内蔵メモリを使用するときは、メモリカード１２９は使用しない。
【００２３】
撮影画像を表示する場合、画像データはメモリ１２４の内蔵メモリから読みだされ、バス１２５を介してドライバ１３０に送られる。ドライバ１３０は、画像データに対してモニタ１０８表示用の信号処理を施した後、ＤＡＣ１３１を介してモニタ１０８に出力する。操作部１３２には、前述のシャッターボタン１０１、電源スイッチ１０６、望遠ズームボタン１０９、広角ズームボタン１１０、再生ボタン１１１、メニューボタン１１２、十字操作ボタン１１３、決定ボタン１１４、設定ボタン１１７が含まれる。
【００２４】
次に設定ダイヤル１１５の構成について説明する。図３（ａ）は、設定ダイヤル１１５を正面から見た図である。設定ダイヤル１１５は、ダイヤル操作部１１５ａと、ダイヤル表示部１１５ｂを備えている。
ダイヤル操作部１１５ａはリング状に形成された操作部材であり、リングの中心に対して回転可能である。ダイヤル操作部１１５ａの下部には、図３（ａ）の点線で示すような四角形の液晶ディスプレイなどの表示素子１１５ｂ´が配置されている。表示素子１１５ｂ´は、ダイヤル操作部１１５ａのリング内側に含まれるように配置され、表示素子１１５ｂ´のうちダイヤル操作部１１５ａのリング内側の部分は、ダイヤル表示部１１５ｂとして各種モードを示す絵文字など様々な情報を表示する。なお表示素子１１５ｂ´は、液晶ディスプレイだけでなく、ＥＬディスプレイや電子ペーパーなどでも構わない。
【００２５】
図３（ｂ）は、設定ダイヤル１１５およびその周辺部分の断面図である。表示素子１１５ｂ´は、ダイヤル操作部１１５ａの下部に配置されており、表示素子１１５ｂ´のうちダイヤル操作部１１５ａのリング内側の部分をダイヤル表示部１１５ｂとして使用し、様々な情報を表示する。また、ダイヤル表示部１１５ｂの上部は、プラスチックなどの透明な保護部材１１５ｃにより覆われている。さらに、ダイヤル操作部１１５ａのリング外側はデジタルカメラ１００の筐体１００ａで覆われている。そのため、表示素子１１５ｂ´のうちダイヤル操作部１１５ａのリング内側以外の部分はデジタルカメラ１００の外観として見ることができない。したがって、表示素子１１５ｂ´のうちダイヤル操作部１１５ａのリング内側の部分だけがデジタルカメラ１００の背面に露出することになり、使用者にはダイヤル表示部１１５ｂが円形の表示部に見える。
【００２６】
図２に示したように、使用者がダイヤル操作部１１５ａを回転操作すると、エンコーダ１１５ｄはダイヤル操作部１１５ａの回転量、回転方向のうち少なくとも１つを検出し、その回転量、回転方向のうち少なくとも１つのデータを制御部１１９に送る。制御部１１９は、この回転量、回転方向のうち少なくとも１つのデータに基づいてダイヤル表示部１１５ｂの表示を変更する。
次に、前記のように構成されたデジタルカメラ１００に配置された設定ダイヤル１１５の表示機能について、操作に対応させて説明する。図４は、撮影モードにおける設定ダイヤル１１５を示した図である。
【００２７】
電源スイッチ１０７を押下すると、デジタルカメラ１００の電源が投入される。デジタルカメラ１００の起動時には、デジタルカメラ１００は撮影モードに設定されており、ダイヤル表示部１１５ｂには直ちに撮影に関する各種モードを示す絵文字１３３〜１４０が表示される。絵文字１３３〜１４０は、ダイヤル表示部１１５ｂの円周に沿って各絵文字間がほぼ均等となるように表示される。ダイヤル表示部１１５ｂに表示される絵文字１３３はマニュアルモードを、絵文字１３４はセットアップモードを、絵文字１３５は動画モードを、絵文字１３６はオートモードを、絵文字１３７はシーンモードを、絵文字１３８はプログラムモードを、絵文字１３９は絞り優先モードを、絵文字１４０はシャッター優先モードをそれぞれ示している。なお、本発明における絵文字とは、文字、数値、記号、絵、画像などを含んでいる。
【００２８】
ダイヤル表示部１１５ｂに表示される絵文字のうち選択された１つの絵文字は、その他の絵文字よりも大きく表示される。図４では、デジタルカメラ１００上に設けられた設定ダイヤル指標１１６に合わせた位置がモードを選択する位置であり、マニュアルモードが選択されていることを示している。またダイヤル表示部１１５ｂでは、表示される絵文字のうち１つの絵文字を大きく表示することによって選択されたモードを示すことができるので、デジタルカメラ１００上に選択された位置を示すために設定ダイヤル指標１１６を設けなくてもよい。この場合には、例えばダイヤル表示部１１５ｂ上で９時の方向に配置された絵文字が選択されたとする場合には、図５のように９時の方向に配置された絵文字１３３が他の絵文字１３４〜１４０よりも大きく表示される。また、図示していないが選択された絵文字をダイヤル表示部１１５ｂの中央部に表示してもよい。
【００２９】
ダイヤル表示部１１５ｂに表示された撮影に関する各種モードの中から使用したいモードを選択する際には、使用者は設定ダイヤル１１５のダイヤル操作部１１５ａを回転操作し、設定ダイヤル指標１１６に合わせる。ダイヤル操作部１１５ａを使用者が時計回りに回転操作すると、絵文字１３３〜１４０がダイヤル操作１１５ａの回転移動に伴って時計回りに移動する。ダイヤル操作部１１５ａを使用者が反時計回りに回転操作すると、絵文字１３３〜１４０がダイヤル操作１１５ａの回転移動に伴って反時計回りに移動する。すなわち、ダイヤル表示部１１５ｂに表示される絵文字は、ダイヤル操作部１１５ａの回転方向に併せて一緒に回転しているように表示される。例えば、図４に示したダイヤル表示部１１５ｂの状態からダイヤル操作部１１５ａを時計回りに２２．５度回転すると、絵文字１３３は他の絵文字と同じ大きさで表示され、同時に絵文字１４０は他の絵文字より大きく表示される。この状態から、さらにダイヤル操作部１１５ａを時計回りに４５度回転すると、絵文字１４０は他の絵文字と同じ大きさで表示され、同時に絵文字１３８は他の絵文字より大きく表示される。このような動作により、使用者は各種モードの中から使用したいモードを選択することができる。
【００３０】
次に、撮影に関する各種モードを選択した場合の動作を、マニュアルモード、シャッター優先モード、絞り優先モード、プログラムモードがダイヤル表示部１１５ｂに表示されている場合について説明する。図６は、デジタルカメラ１００の動作を示すフローチャートである。
【００３１】
デジタルカメラ１００の電源がＯＮされると、図４に示すようにダイヤル表示部１１５ｂには撮影に関する各種モードを表わす絵文字１３３〜１４０が表示される（Ｓ１０１）。このとき、前回のデジタルカメラ１００の電源切断時にメモリ１２４に記憶しておいたデジタルカメラ１００のモードを呼び出してダイヤル表示部１１５ｂに表示する。すなわち、前回設定していたモードが、設定ダイヤル指標１１６の位置に大きく表示される。また、選択されている絵文字をダイヤル表示部１１５ｂの中央部に表示しても構わない。
次に、マニュアルモードを表わす絵文字１３３が設定ダイヤル指標１１６の位置に合致した状態で設定ボタン１１７が押下されたかどうかを判定する（Ｓ１０２）。このとき、絵文字１３３を設定ダイヤル指標１１６に合わせると、絵文字１３３は他の絵文字１３４〜１４０よりも大きく表示される。マニュアルモードを表わす絵文字１３３が選択された場合、図４に示すような各種モードを表わす絵文字１３３〜１４０の表示から、図７（ａ）に示すように各種シャッタースピードを表わす絵文字群１４１がダイヤル表示部１１５ｂに表示される（Ｓ１０３）。図７（ａ）では、シャッタースピード１／６０秒から１／２秒までが表示される。
【００３２】
このとき、ダイヤル表示部１１５ｂに表示される絵文字（この場合はシャッタースピードの設定値）が多く、表示したい絵文字をすべて表示させると絵文字が小さくなってしまう場合には、図７（ａ）に示すようにシャッタースピードを表わす６つの絵文字を含む絵文字群１４１とダイヤル表示部１１５ｂに表示される絵文字を切り替えるための矢印の絵文字１４２、１４３を表示する。
【００３３】
矢印の絵文字１４２を選択すると、図７（ｂ）に示すようにシャッタースピードが１／６０秒より速い絵文字群１４１´と表示された絵文字を元の表示に切り替えるための矢印の絵文字１４４を表示するようにダイヤル表示部１１５ｂの表示が切り替わる。図７（ｂ）に示すような表示状態で矢印の絵文字１４４を選択すると、図７（ａ）に示すような表示状態に再び切り替わる。
同様に、図７（ａ）に示すような表示状態で絵文字１４３を選択すると、図７（ｃ）に示すようにシャッタースピードが１／２秒より遅い絵文字群１４１´´と表示された絵文字を元の表示に切り替えるための矢印の絵文字１４５を表示するようにダイヤル表示部１１５ｂの表示が切り替わる。図７（ｃ）に示すような表示状態で絵文字１４５を選択すると、図７（ｄ）に示すような表示状態に再び切り替わる。
【００３４】
Ｓ１０３で、図７（ａ）〜図７（ｄ）に示すような各種シャッタースピードを表わす絵文字群がダイヤル表示部１１５ｂに表示され、シャッタースピードを表わす絵文字のうち１つが設定ダイヤル指標１１６の位置に合致した状態で設定ボタン１１７が押下されたかどうかを判定する（Ｓ１０４）。シャッタースピードを表わす絵文字が選択されない場合には、シャッタースピードを表わす絵文字が選択されるまで待機状態となる。シャッタースピードを表わす絵文字が選択された場合、図７（ａ）〜図７（ｄ）に示すようなシャッタースピードを表わす絵文字群の表示から、図８（ａ）に示すような各種絞り値を表わす絵文字群１４６がダイヤル表示部１１５ｂに表示される（Ｓ１０５）。
【００３５】
このとき、前述の操作で決定したシャッタースピードをダイヤル表示部１１５ｂの中央部に表示しても構わない。各種絞り値を表わす絵文字をダイヤル表示部１１５ｂに表示する場合も、各種シャッタースピードを表わす絵文字を表示する場合と同様に、ダイヤル表示部１１５ｂに表示された絵文字を、表示された絞り値よりも小さな絞り値を表わす絵文字の表示に切り替えるための矢印の絵文字１４７を表示する。
【００３６】
絵文字１４７を選択すると、図８（ｂ）に示したようにダイヤル表示部１１５ｂの表示は、絞り値が８．０よりも小さい絵文字群１４６´と表示された絵文字を元の表示に切り替えるための矢印の絵文字１４８を表示するようにダイヤル表示部１１５ｂの表示が切り替わる。図８（ｂ）に示すような表示状態で矢印の絵文字１４８を選択すると、図８（ａ）に示すような表示状態に再び切り替わる。
【００３７】
Ｓ１０５で図８（ａ）および図８（ｂ）に示すように各種絞り値を表わす絵文字群      がダイヤル表示部１１５ｂに表示され、絞り値を表わす絵文字のうち１つが設定ダイヤル指標１１６の位置に合致した状態で設定ボタン１１７が押下されたかどうかを判定する（Ｓ１０６）。絞り値を表わす絵文字が選択されない場合には、絞り値を表わす絵文字が選択されるまで待機状態となる。絞り値を表わす絵文字が選択された場合、Ｓ１１４へ進む。
【００３８】
Ｓ１０２で、マニュアルモードを表わす絵文字１３３が選択されない場合には、さらにシャッター優先モードを表わす絵文字１４０が設定ダイヤル指標１１６の位置に合致した状態で設定ボタン１１７が押下されたかどうかを判定する（Ｓ１０７）。シャッター優先モードを表わす絵文字１４０が選択された場合、図４に示すような各種モードを表わす絵文字１３３〜１４０の表示から、図７（ａ）に示すように各種シャッタースピードを表わす絵文字群１４１がダイヤル表示部１１５ｂに表示される（Ｓ１０８）。次に、シャッタースピードを表わす絵文字のうち１つが設定ダイヤル指標１１６の位置に合致した状態で設定ボタン１１７が押下されたかどうかを判定する（Ｓ１０９）。シャッタースピードを表わす絵文字が選択されない場合には、シャッタースピードを表わす絵文字が選択されるまで待機状態となる。シャッタースピードを表わす絵文字が選択された場合、Ｓ１１４へ進む。
【００３９】
Ｓ１０７で、シャッター優先モードを表わす絵文字１４０が選択されない場合には、さらに絞り優先モードを表わす絵文字１３９が設定ダイヤル指標１１６の位置に合致した状態で設定ボタン１１７が押下されたかどうかを判定する（Ｓ１１０）。絞り優先モードを表わす絵文字１３９が選択された場合、図４に示すような各種モードを表わす絵文字１３３〜１４０の表示から、図８（ａ）に示すように各種絞り値を表わす絵文字群１４６がダイヤル表示部１１５ｂに表示される（Ｓ１１１）。次に、絞り値を表わす絵文字のうち１つが設定ダイヤル指標１１６の位置に合致した状態で設定ボタン１１７が押下されたかどうかを判定する（Ｓ１１２）。絞り値を表わす絵文字が選択されない場合には、絞り値を表わす絵文字が選択されるまで待機状態となる。絞り値を表わす絵文字が選択された場合、Ｓ１１４へ進む。
【００４０】
Ｓ１１０で、絞り優先モードを表わす絵文字１３９が選択されない場合には、さらにプログラムモードを表わす絵文字１３８が設定ダイヤル指標１１６の位置に合致した状態で設定ボタン１１７が押下されたかどうかを判定する（Ｓ１１３）。プログラムモードを表わす絵文字１３８が選択された場合はＳ１１４へ進み、プログラムモードを表わす絵文字１３８が選択されない場合にはＳ１０１へ戻る。
それぞれのモードにおいて選択された撮影条件がデジタルカメラ１００に設定され（Ｓ１１４）、図４に示すように撮影に関する各種モードを表わす絵文字１３３〜１４０がダイヤル表示部１１５ｂに再び表示される（Ｓ１１５）。このとき、前述の操作で決定したシャッタースピードや絞り値などの撮影条件をダイヤル表示部１１５ｂの中央部に表示しても構わない。このように、撮影に関するモードおよびそれに関する撮影条件を設定することで、使用者はデジタルカメラ１００の撮影を行なう。
【００４１】
図６において、ダイヤル表示部１１５ｂの設定は、デジタルカメラ１００の電源切断時にメモリ１２４に記憶するようにした。そのため、デジタルカメラ１００にメモリカード１２９が挿入されていない状態で再度電源がＯＮされても、前回の電源切断時の設定ダイヤル１１５の設定状態を呼び出してダイヤル表示部１１５ｂに表示することができる。また、デジタルカメラ１００の電源をＯＮしたときの表示はこれに限定されず、例えばいつも同じ表示をさせるようにしてもよい。このときの表示は、デジタルカメラ１００の製造時に設定されたものでも構わないし、使用者が購入後に設定したものでも構わない。
【００４２】
ダイヤル表示部１１５ｂに表示される選択項目が、選択したモードの最後の選択項目の表示状態である場合には、ダイヤル操作部１１５ａを回転操作して選択するだけで、設定ボタン１１７を押下して決定しなくても、その絵文字が選択され、選択したモードの操作を使用者が行なえるようにしても構わない。例えば、オートモードを使用する場合、ダイヤル操作部１１５ａを回転操作してオートモードを表わす絵文字１３６を設定ダイヤル指標１１６に合わせると、それ以上選択する項目はないので、使用者がオートモードで撮影可能な状態とする。
【００４３】
以上は、撮影モードにおける設定ダイヤル１１５の表示機能の一例であるが、本発明を再生モードにおける設定ダイヤル１１５にも適用することができる。図９は、再生モードにおける設定ダイヤル１１５の一例を示した図である。
【００４４】
再生に関する各種モードを示す絵文字群をダイヤル表示部１１５ｂに表示するには、デジタルカメラ１００の電源が投入された状態で撮影モード時に再生ボタン１１１を押下するか、デジタルカメラ１００の電源が切断された状態で再生ボタン１１１を１秒以上押し続ける。ダイヤル表示部１１５ｂの表示形式は、前述した撮影モード時と同様に、ダイヤル表示部１１５ｂの円周に沿って各絵文字間がほぼ均等となるように表示される。ダイヤル表示部１１５ｂに表示される絵文字１４９は１コマ再生モードを、１５０はカレンダーモードを、１５１は撮影日一覧モードを、１５２はセットアップモードをそれぞれ示している。
【００４５】
また、設定ダイヤル１１５の表示および動作は、前述した撮影モード時の表示および動作と同様である。ダイヤル表示部１１５ｂに表示された撮影に関する各種モードの中から使用したいモードを選択する際には、使用者は設定ダイヤル１１５のダイヤル操作部１１５ａを回転操作し、設定ダイヤル指標１１６に合わせる。ダイヤル操作部１１５ａが時計回りに回転操作されると、再生に関する各種モードを示す絵文字群の表示が、あたかもダイヤル操作部１１５ａの回転移動に併せて絵文字が時計回りに移動するように表示される。同様に、ダイヤル操作部１１５ａが反時計回りに回転操作されると、再生に関する各種モードを示す絵文字群の表示がダイヤル操作部１１５ａの回転移動に伴って反時計回りに移動するように表示する。そしてダイヤル表示部１１５ｂに表示される絵文字群のうち１つの絵文字を大きく表示することにより、選択しているモードを示すようにしている。ダイヤル操作部１１５ａの回転操作によって使用したいモードを選択し、設定ボタン１１７を押下すると、ダイヤル表示部１１５ｂの表示は、そのモードで選択する項目がない場合にはそのままの表示で、さらに選択する項目がある場合には選択したモードに対応する表示に切り替わる。対応する表示に切り替わった場合は、設定が終了するまで撮影モード時の選択と同様の操作を繰り返し行なう。繰り返し行なう回数は、選択したモードの選択項目の種類によって変わってくる。
【００４６】
以上説明した本実施形態によれば、以下のような効果を得ることができる。
設定ダイヤル１１５はダイヤル操作部１１５ａとダイヤル表示部１１５ｂとを備え、ダイヤル表示部１１５ｂをダイヤル操作部１１５ａの内側に配置した。これによって、使用者はダイヤル操作部１１５ａを操作しながら、ダイヤル操作部１１５ａの内側のダイヤル表示部１１５ｂに表示された情報を確認することができるので、デジタルカメラ１００の操作性が向上する。さらに、モード選択時および各種項目選択時にモードなどの情報がモニタ１０８に表示されないので、使用者はスルー画を常に確認することができる。
【００４７】
設定ダイヤル１１５のダイヤル表示部１１５ｂとして液晶ディスプレイなどの表示素子１１５ｂ´を用いて、電子機器の動作状態ごとに複数の情報を表示できるようにした。これによって、設定ダイヤル１１５を大きくしたり、複数の設定ダイヤルを設けることなく表示を変更したり、表示項目を増やしたりできるので、部品コストを下げることができるし、電子機器の大きさを小さくすることができる。また、ダイヤル操作部１１５ａの回転操作に対応して、ダイヤル表示部１１５ｂに表示された絵文字の表示も併せて回転移動し、さらに選択したモードに対応する選択項目を順次切り替えてダイヤル表示部１１５ｂに表示することができる。そのため、使用者はダイヤル表示部１１５ｂを見るだけで各種設定を直感的でわかりやすい操作により行なうことができ、デジタルカメラ１００の設定操作における操作性が向上する。
また、ダイヤル表示部１１５ｂに様々な絵文字を適宜表示するだけではなく、表示色、大きさ、形状など様々な表示形態で絵文字を表示することができるので、使用者の視認性が向上する。
【００４８】
デジタルカメラ１００の電源切断時に設定ダイヤル１１５の設定状態をメモリ１２４に記憶しておき、再度デジタルカメラ１００の電源を投入したときにメモリ１２４に記憶しておいた設定状態を呼び出してダイヤル表示部１１５ｂに表示するようにした。これによって、デジタルカメラ１００の非使用時にダイヤル操作部１１５ａを回してしまい、設定ダイヤル１１５の設定が意図せず変わってしまうことが防げ、再度電源投入時に以前の操作状態のまま電子機器を使用することができ、デジタルカメラの操作性が向上する。
ダイヤル表示部１１５ｂに表示された項目からダイヤル操作部１１５ａを回転操作することにより使用したい項目を選択した後に、設定ボタン１１７を押下することで選択した項目を決定するようにした。これによって、デジタルカメラ１００の使用時において、使用者の不用意な操作による設定ダイヤル１１５の誤動作を防止することができ、デジタルカメラの操作性が向上する。
【００４９】
なお本実施形態は、以下のように変形することもできる。
【００５０】
ダイヤル操作部１１５ａはリング状ではなく多角形状としてもよい。また、ダイヤル表示部１１５ｂをダイヤル操作部１１５ａの内側に配置したが、ダイヤル表示部１１５ｂをリング状としてダイヤル操作部１１５ａの外側に配置してもよい。このとき、ダイヤル操作部１１５ａは円形状としても構わない。
【００５１】
ダイヤル操作部１１５ａがスムーズに回転するように構成したが、機械的なクリック機構を設けてもよい。このとき、ダイヤル操作部１１５ａの回転操作により１回クリックが発生すると、ダイヤル表示部１１５ｂに表示された絵文字が１つ移動するように設定しても構わないし、複数回クリックが発生するとダイヤル表示部１１５ｂに表示された絵文字が１つ移動するように設定しても構わない。
【００５２】
ダイヤル操作部１１５ａを回転操作することで各項目を選択するようにしたが、ダイヤル操作部１１５ａの代わりにダイヤル表示部１１５ｂの上部にタッチパネルを配置することで各項目を選択できるようにしてもよい。ダイヤル表示部１１５ｂの上部にタッチパネルを配置する。配置するタッチパネルは光透過性を有するため、タッチパネルが配置されることによってダイヤル表示部１１５ｂの表示が遮られることはない。そして、タッチパネルを備えたダイヤル表示部１１５ｂの上を円形の開口を設けたデジタルカメラ１００の筐体１００ａで覆うことで、タッチパネルを備えたダイヤル表示部１１５ｂの部分だけが露出する。そのため、使用者にはデジタルカメラ１００に円形の設定ダイヤルが配置されているように見える。使用者は、ダイヤル表部１１５ｂに表示された絵文字に対して、指やタッチペンなどで触れたり回転させたりすることで、各項目を選択することができる。
ダイヤル表示部１１５ｂの表示形態は、図４、図５、図７、図８、図９に示すものには限定されず、ダイヤル操作部１１５ａを回転操作させ、モードなどの項目選択を容易にするような表示であれば種々の変更が可能である。また、ダイヤル表示部１１５ｂに表示される絵文字の配置は円周状に限らず、ダイヤル表示部１１５ｂ全体に絵文字を表示させ、ダイヤル操作部１１５ａを回転操作すると選択される絵文字が順次変更されるようにしてもよい。この場合に前述のタッチパネルを使用すると、ダイヤル表示部１１５ｂ全体に絵文字の中から選択したい絵文字に触れることで選択することができる。
【００５３】
選択された絵文字を表示するために、選択された絵文字を他の絵文字より大きく表示するようにしたが、これに限らず、絵文字の色を変えたり、点滅させたりして識別できるようにしてもよい。また、各項目を示す絵文字の表示位置を固定して、選択している絵文字を指し示すための選択マークを移動させるようにしてもよい。なお選択された絵文字は、選択されていることが使用者にわかるように表示されれば、他の絵文字より大きく表示しなくても構わない。
【００５４】
ダイヤル表示部１１５ｂに表示される絵文字は８つであったが、表示される絵文字の数はそれより多くても少なくてもよい。また表示される絵文字の数に応じて、各絵文字の大きさを変更してもよい。さらに、ダイヤル表示部１１５ｂに表示される項目数を、使用者が選択、設定できるようにしてもよい。
ダイヤル表示部１１５ｂには絵文字を表示するようにしたが、設定後数秒してもデジタルカメラ１００に対する操作が行なわれない場合にはダイヤル表示部１１５ｂの表示をＯＦＦにして、再度デジタルカメラ１００に対する操作が行なわれた場合に、表示させるようにしてもよい。
【００５５】
ダイヤル表示部１１５ｂの中央部には、設定した情報、例えばシャッタースピードや絞り値を表示するようにしたが、設定後数秒してもデジタルカメラ１００に対する操作が行なわない場合には、残り撮影可能枚数、電池残量、日付、時刻など様々な情報を表示してもよいし、これらの情報を数秒おきに順次切り替えて表示するようにしても構わない。
【００５６】
設定ボタン１１７は、デジタルカメラ１００の背面に独立して配置したが、これには限定されず、図１０に示すように設定ダイヤル１１５の中心位置に配置してもよい。また、設定ボタン１１７の機能を決定ボタン１１４に付与することで兼用し、設定ボタン１１７を設けなくてもよい。
（第２実施形態）
次に、本発明の第２実施形態について説明する。
【００５７】
本実施形態のデジタルカメラ１００では、デジタルカメラ１００で撮影した画像を設定ダイヤル１１５のダイヤル表示部１１５ｂに表示される絵文字として設定することができる。そして、設定した画像は後述するカスタムモードを選択したときの絵文字として表示され、使用者はその絵文字を選択することで、その画像を撮影したときの撮影条件をデジタルカメラ１００に設定することができる。
まず、ダイヤル表示部１１５ｂに表示する絵文字として撮影した画像を登録または削除する場合のデジタルカメラ１００の動作について説明する。図１１は、動作を示すフローチャートである。
【００５８】
図９に示すような再生に関する各種モードを表わす絵文字１４９〜１５２が表示され、セットアップモードを表わす絵文字１５２を設定ダイヤル指標１１６に合わせられ、設定ボタンが押下されると、図示はしないがセットアップモードに関する各種モードがダイヤル表示部１１５ｂに表示される（Ｓ２０１）。
【００５９】
次に、カスタムモード画像設定を表わす絵文字が設定ダイヤル指標１１６の位置に合致した状態で設定ボタン１１７が押下されたかどうかを判定する（Ｓ２０２）。カスタムモード画像設定を表わす絵文字が選択された場合、セットアップモードに関する各種モードの表示から、図１２に示すようなメモリカード１２９に保存されている画像のサムネイル画像が縮小された絵文字群１５３がダイヤル表示部１１５ｂに表示される（Ｓ２０３）。また、カスタムモード画像設定の終了を表わす絵文字１５４、表示されていないサムネイル画像が縮小された絵文字群に表示を切り替える絵文字１５５も表示される。このとき、メモリカード１２９に保存されている画像には、画像以外に各種撮影条件、例えば彩度や露出補正などがＥＸＩＦ形式で記録されているので、設定ダイヤル指標１１６の位置に合わせた絵文字について、その絵文字の基となる画像を撮影するときに変更した特徴的な撮影条件などをダイヤル表示部１１５ｂの中央部に表示させてもよい。
【００６０】
次に、サムネイル画像が縮小された絵文字のうち１つが設定ダイヤル指標１１６の位置に合致した状態で設定ボタン１１７が押下されたかどうかを判定する（Ｓ２０４）。サムネイル画像が縮小された絵文字が選択された場合、その画像はカスタムモードで選択可能な絵文字として登録され（Ｓ２０５）、Ｓ２０３に戻って再びメモリカード１２９に保存されている画像のサムネイル画像が縮小された絵文字群１５３が再びダイヤル表示部１１５ｂに表示される。カスタムモードではダイヤル表示部１１５ｂに複数の絵文字を表示することができるので、カスタムモードに登録する画像がすべて選択されるまで、この操作が繰り返される。
【００６１】
Ｓ２０４で、サムネイル画像が縮小された絵文字が選択されない場合には、さらにカスタムモード画像設定の終了を表わす絵文字１５４が設定ダイヤル指標１１６の位置に合致した状態で設定ボタン１１７が押下されたかどうかを判定する（Ｓ２０７）。カスタムモード画像設定の終了を表わす絵文字１５４が選択された場合、図１２に示すようなメモリカード１２９に保存されている画像のサムネイル画像が縮小された絵文字群１５３から、図９に示すような再生に関する各種モードを表わす絵文字１４９〜１５２がダイヤル表示部１１５ｂに再び表示される（Ｓ２０８）。カスタムモード画像設定の終了を表わす絵文字１５４が選択されない場合にはＳ２０３へ戻る。
【００６２】
Ｓ２０２で、カスタムモード画像設定を表わす絵文字が選択されない場合には、さらにカスタムモード画像削除を表わす絵文字が設定ダイヤル指標１１６の位置に合致した状態で設定ボタン１１７が押下されたかどうかを判定する（Ｓ２０８）。カスタムモード画像削除を表わす絵文字が選択された場合、セットアップモードに関する各種モードの表示から、既にカスタムモードに登録されている画像のサムネイル画像が縮小された絵文字群がダイヤル表示部１１５ｂに表示される（Ｓ２０９）。
【００６３】
次に、既にカスタムモードに登録されている画像のサムネイル画像が縮小された絵文字を表わす絵文字のうち１つが設定ダイヤル指標１１６の位置に合致した状態で設定ボタン１１７が押下されたかどうかを判定する（Ｓ２１０）。サムネイル画像が縮小された絵文字を表わす絵文字が選択された場合、その画像はカスタムモードで選択可能な絵文字から削除され（Ｓ２１１）、既にカスタムモードに登録されている画像のサムネイル画像が縮小された絵文字群がダイヤル表示部１１５ｂに再び表示される（Ｓ２１２）。カスタムモードではダイヤル表示部１１５ｂに複数の絵文字を表示することができるので、既にカスタムモードに登録されている画像のうち、削除したい画像がすべて選択されるまで、この操作が繰り返される。
【００６４】
Ｓ２１０で、サムネイル画像が縮小された絵文字が選択されない場合には、さらにカスタムモード画像設定の終了を表わす絵文字が設定ダイヤル指標１１６の位置に合致した状態で設定ボタン１１７が押下されたかどうかを判定する（Ｓ２１３）。カスタムモード画像設定の終了を表わす絵文字が選択された場合、既にカスタムモードに登録されている画像のサムネイル画像が縮小された絵文字群の表示から、図９に示すような再生に関する各種モードを表わす絵文字１４９〜１５２がダイヤル表示部１１５ｂに再び表示される（Ｓ２１４）。カスタムモード画像設定の終了を表わす絵文字１５４が選択されない場合にはＳ２０９へ戻る。
【００６５】
また、カスタムモードに設定可能な画像数に限りがある場合がある。設定可能な画像数を超えて登録しようとする場合には、既に登録されている画像を自動的に削除して、新しい画像を登録するようにしてもよい。このとき、カスタムモードから削除される画像は、カスタムモードに登録された順序が最も古いものや撮影利用頻度が最も低いものでも構わない。また、使用者が設定ダイヤル指標１１６に合わせて、設定ボタン１１７を決定したものでも構わない。
【００６６】
なお、カスタムモードに設定する画像は、メモリカード１２９に保存されている画像と説明したが、デジタルカメラ１００に内蔵のメモリ１２４に保存されている画像でも構わないし、デジタルカメラ１００以外のデジタルカメラで撮影され、メモリカードに保存された画像でも構わない。
【００６７】
次に、カスタムモードに登録した画像を選択し、その画像の撮影条件で撮影する場合について説明する。図１３は、カスタムモードにおけるデジタルカメラ１００の動作を示すフローチャートである。
【００６８】
デジタルカメラ１００の電源がＯＮされると、カスタムモードに絵文字が設定されている場合には、図１４に示すようにダイヤル表示部１１５ｂには撮影に関する各種モードを表わす絵文字としてカスタムモードを表わす絵文字１５６が追加して表示される（Ｓ２１５）。また、撮影に関するモードでダイヤル表示部１１５ｂに表示される絵文字を切り替える絵文字１５７も表示される。
【００６９】
次に、カスタムモードを表わす絵文字１５６が設定ダイヤル指標１１６の位置に合致した状態で設定ボタン１１７が押下されたかどうかを判定する（Ｓ２１６）。このとき、絵文字１５６を設定ダイヤル指標１１６に合わせると、絵文字１５６は他の絵文字１３３、１３６〜１４０、１５７よりも大きく表示される。カスタムモードを表わす絵文字１５６が選択された場合、図１４に示すような撮影に関する各種モードを表わす絵文字群の表示から、図１５に示すようなカスタムモードに登録した画像を表わす絵文字群１５８、すなわち縮小されたサムネイル画像がダイヤル表示部１１５ｂに表示される（Ｓ２１７）。また、表示されていない画像を表わす絵文字に切り替える絵文字１５９、図１４に示すような撮影に関する各種モードを示す絵文字群の表示に戻る絵文字１６０も表示される。このとき、設定ダイヤル指標１１６の位置に合わせた画像について、その画像を撮影するときに変更した特徴的な撮影条件などをダイヤル表示部１１５ｂの中央部に表示させてもよい。
【００７０】
次に、サムネイル画像が縮小された絵文字のうち１つが設定ダイヤル指標１１６の位置に合致した状態で設定ボタン１１７が押下されたかどうかを判定する（Ｓ２１８）。サムネイル画像が縮小された絵文字が選択された場合、その画像を撮影したときの撮影条件にデジタルカメラ１００が設定される（Ｓ２１９）。例えば、図１５で設定ダイヤル指標１１６に合わせた位置にあるマクロモードによって花を撮影した画像を表わす絵文字を選択すると、デジタルカメラ１００はマクロモードに設定され、使用者はその画像を撮影したときの彩度や露出補正などで撮影を行なうことができる。そして、カスタムモードに登録した画像を表わす絵文字群１５８がダイヤル表示部１１５ｂに表示される（Ｓ２２０）。
【００７１】
Ｓ２１８でサムネイル画像が縮小された絵文字が選択されない場合には、さらにカスタムモードの終了を表わす絵文字１６０が設定ダイヤル指標１１６の位置に合致した状態で設定ボタン１１７が押下されたかどうかを判定する（Ｓ２２１）。カスタムモードの終了を表わす絵文字１６０が選択された場合、図１５に示すようなカスタムモードに登録されている画像のサムネイル画像が縮小された絵文字群の表示から、図１４に示すような撮影に関する各種モードを表わす絵文字群がダイヤル表示部１１５ｂに再び表示される（Ｓ２２２）。カスタムモードの終了を表わす絵文字１６０が選択されない場合にはＳ２１７へ戻る。
【００７２】
Ｓ２１６でカスタムモードを表わす絵文字１５６が選択されない場合には、図６のＳ１０２へ進む。
【００７３】
なお本実施形態におけるダイヤル表示部１１５ｂの表示形式は、第１実施形態と同様に、選択した絵文字を大きく表示したり、様々な絵文字を適宜表示したりするだけではなく、表示色、大きさ、形状など様々な表示形態で絵文字を表示してもよい。
【００７４】
また、カスタムモードで表示される縮小されたサムネイル画像を選択する場合には、画像を背面のモニタ１０８に表示して選択しても構わない。
以上説明した本実施形態によれば、以下のような効果を得ることができる。
【００７５】
使用者は、撮影条件としてそれぞれの項目を設定しなくても、以前に撮影した条件を利用して撮影することができるので、撮影条件の設定が容易であり、デジタルカメラの操作性が向上する。
【００７６】
使用者はダイヤル操作部１１５ａを操作しながら、ダイヤル操作部１１５ａの内側のダイヤル表示部１１５ｂに表示された絵文字を選択、決定することができるので、デジタルカメラ１００の操作性が向上する。さらに、ダイヤル表示部１１５ｂに表示される絵文字として使用者が撮影した画像を使用して撮影条件の設定を行なうので、その画像を見ることによって使用者は撮影条件を容易に判断することができる。
【００７７】
なお、第１実施形態および第２実施形態では電子機器としてデジタルカメラを例に説明したが、これらの実施形態に記載した設定ダイヤル１１５は、その他の電子機器、例えば携帯電話、ＰＨＳなどの電話機、ＰＤＡ、スマートフォン、オーディオプレーヤー、ポインタなどの遠隔操作機器、プリンタ、プロジェクタ、カーナビゲーション、ゲーム機、ビデオカメラ、フィルムカメラなどに使用することもできる。
【図面の簡単な説明】
【００７８】
【図１】本発明の第１実施形態におけるデジタルカメラの外観を模式的に示した図である。
【図２】本発明の第１実施形態におけるデジタルカメラ１００の電気的構成を示したブロック図である。
【図３】本発明の第１実施形態における設定ダイヤルに関する図である。
【図４】本発明の第１実施形態における撮影モード時の設定ダイヤルを示した図である。
【図５】本発明の第１実施形態における設定ダイヤル指標を設けない場合の撮影モード時の設定ダイヤルを示した図である。
【図６】本発明の第１実施形態におけるマニュアルモードの選択、設定を行なった場合のデジタルカメラ１００の動作を示すフローチャートである。
【図７】本発明の第１実施形態におけるシャッタースピードの選択、設定を行なう場合の設定ダイヤルの表示動作を示したである。
【図８】本発明の第１実施形態における絞り値の選択、設定を行なう場合の設定ダイヤルの表示動作を示した図である。
【図９】本発明の第１実施形態における再生モード時の設定ダイヤルを示した図である。
【図１０】本発明の第１実施形態における設定ボタンに関する変形例を示した図である。
【図１１】本発明の第２実施形態におけるカスタムモードに画像を登録する場合のデジタルカメラ１００の動作を示すフローチャートである。
【図１２】本発明の第２実施形態におけるカスタムモードに画像を登録する場合の設定ダイヤルの表示動作を示す図である。
【図１３】本発明の第２実施形態におけるカスタムモードを選択、撮影する場合のデジタルカメラ１００の動作を示すフローチャートである。
【図１４】本発明の第２実施形態における撮影モード時の設定ダイヤルを示した図である。
【図１５】本発明の第２実施形態におけるカスタムモード時の設定ダイヤルを示した図である。
【符号の説明】
【００７９】
１００  デジタルカメラ
１００ａ  筐体
１０１  シャッターボタン
１０２  レンズ鏡筒
１０３  レンズ
１０４ａ  ファインダー窓
１０４ｂ  ファインダー
１０５  内蔵フラッシュ
１０６  メモリカードスロット
１０７  電源スイッチ
１０８  モニタ
１０９  望遠ズームボタン
１１０  広角ズームボタン
１１１  再生ボタン
１１２  メニューボタン
１１３  十字操作ボタン
１１４  決定ボタン
１１５  設定ダイヤル
１１５ａ  ダイヤル操作部
１１５ｂ  ダイヤル表示部
１１５ｂ´  表示素子
１１５ｃ  保護部材
１１５ｄ  エンコーダ
１１６  設定ダイヤル指標
１１７  設定ボタン
１１８  レンズ駆動部
１１９  制御部
１２０  撮像素子
１２１  相関二重サンプリング回路
１２２  自動ゲインコントロール回路
１２３  アナログデジタル変換器
１２４  メモリ
１２５  バス
１２６  信号処理部
１２７  圧縮伸張部
１２８  カードインターフェース
１２９  メモリカード
１３０  ドライバ
１３１  デジタルアナログ変換器
１３２  操作部
１３３〜１６０  絵文字
【図１】
2008165118.tif 000003
【図２】
2008165118.tif 000004
【図３】
2008165118.tif 000005
【図４】
2008165118.tif 000006
【図５】
2008165118.tif 000007
【図６】
2008165118.tif 000008
【図７】
2008165118.tif 000009
【図８】
2008165118.tif 000010
【図９】
2008165118.tif 000011
【図１０】
2008165118.tif 000012
【図１１】
2008165118.tif 000013
【図１２】
2008165118.tif 000014
【図１３】
2008165118.tif 000015
【図１４】
2008165118.tif 000016
【図１５】
2008165118.tif 000017